(57)【要約】      （修正有）【課題】聴力に差のある、複数の人でも同時に、テレビ等を快適に楽しむための簡便な複数のジャックを具えた音量調節器付きイヤホーンアダプタを提供する。【解決手段】複数のプラグ挿入部２ａ，２ｂとテレビ等のプラグ挿入部へ挿入するプラグ端子と音量調節用のボリュームとから構成され、まず、プラグをTV装置のイヤホンジャックに挿入する。次に、プラグ挿入部2a及び2bに市販のイヤホーンを挿入する。複数のプラグ挿入部2a又は2bには、中間に音量調節のためのボリュームが電気的に接続されているため、プラグ挿入部2bに挿入した市販のイヤホーンを使用する人は、音量調節用のダイヤル１を動かして、音量の調整を行う。【選択図】図１
2010183128.tif 000002
【特許請求の範囲】
【請求項１】
複数のプラグ挿入部とテレビ等のプラグ挿入部へ挿入するプラグ端子４から構成されることを特徴とするイヤホーンアダプタ。
【請求項２】
複数のプラグ挿入部のいずれかのプラグ側には音量調節用のボリュームを有することを特徴とする請求項１のイヤホーンアダプタ。
【発明の詳細な説明】
【技術分野】
【０００１】
本発明は、聴力に差のある、複数の人でも同時に、テレビ等を快適に楽しむための簡便な複数のジャックを具えた音量調節が可能なイヤホーンアダプタに関するものである。
【背景技術】
【０００２】
複数のプラグ挿入部を有する、従来のイヤホーンアダプタは、複数の人が同時に聴ける機能は有していたが、例えば難聴者の人と健聴者の人が同時に使用する場合、健聴者の人には丁度よい音量であっても、難聴者の人には音量が小さ過ぎたり、また逆に、難聴者の人には丁度よい音量であっても、健聴者の人には大き過ぎたりで、同時に使用することが困難であった。
【０００３】
前述の複数のプラグ挿入部を有する従来のイヤホーンアダプタを使用し、一方のプラグ挿入部には音量調節付のイヤホーンを使用し、聴力に合わせて音量を調節して聴く方法があるが、一般に市販されているこの音量調節付きイヤホーンは高価であり、利用方法が限られているため、一般家庭にはあまり普及していない。また、一般的にイヤホーンコードの途中に音量調節がついているため、断線等のリスクがあった。
【０００４】
また、このイヤホーンを病院等の共用施設で使用する場合には、感染症予防の観点から、イヤホーンの使い回しは一般的には禁止されている施設が多く、このため、各人で高価な音量調節器付のイヤホーンを用意するには、はなはだ不経済であった。
【先行技術文献】
【特許文献】
【０００５】
【特許文献１】実開昭51-63188号
【発明の概要】
【発明が解決しようとする課題】
【０００６】
従来のテレビ等の音響機器には、イヤホーンプラグ挿入部は１つしかなく、複数の人が同時に聴くことが出来なかったため、大変不便であった。
【０００７】
また、前述した市販の複数のプラグ挿入部有するイヤホーンアダプタは、聴力に差のある人が同時に使用する場合、どちらかの人に苦痛を与えるため、利用が困難であった。
【０００８】
病院等の共用施設で使用する場合、一般の安価なイヤホーンが使用で、断線のリスクの少ない共用型の音量調節機能を有するイヤホーンアダプタが求められている。
【課題を解決するための手段】
【０００９】
本発明は、図１に示すように、複数のプラグ挿入部２ａ,２ｂとテレビ等のプラグ挿入部へ挿入するプラグ端子4から構成するイヤホーンアダプタである。
【００１０】
さらに、図7に示すように、プラグ挿入部２ａ又はプラグ挿入部２ｂのいずれか片方には音量調節用のボリューム7を有することを特徴とするイヤホーンアダプタである。
【発明の効果】
【００１１】
本発明のイヤホーンアダプタを病院における入院患者の病室及び老人ホーム等の居室で健聴者と難聴者が同時に使用する場合、健聴者も難聴者も快適な音量で楽しむことができる。
【００１２】
また、別の使用方法としては、一人の人が両耳で使用すれば、ステレオ番組を楽しむことが出来る。もちろん右耳と左耳の聴力が異なる人が使用しても、同様に両耳で快適な音量で楽しむことができる。
【００１３】
また、本発明のイヤホーンアダプタを使用すると、市販の高価な音量調節器付きのイヤホーンの使用が不要に成り、安価なイヤホーンで経済的である。
【００１４】
本発明のイヤホーンアダプタの場合、音量調節のボリュームは、アダプタに内臓のため、従来の市販の音量調節器付きのイヤホーンのように断線することが少ない。
【００１５】
また、利用の形態は、施設管理者あるいはテレビを設置した業者が自らの経費で、予め用意することにより、入院患者等の個人が準備することが必要でなくなるため、経済的である。
【００１６】
また本発明は構造的にみて簡単、小型、軽量であり、安価に製造することが可能であり、使用方法も大変容易で簡便性に富んでいる。
【図面の簡単な説明】
【００１７】
【図１】本発明の正面図
【図２】本発明の側面図
【図３】本発明の平面図
【図４】本発明の底面図
【図５】本発明の背面図
【図６】Ａ−Ａ’断面図
【図７】Ｂ−Ｂ’断面図
【図８】基盤配線図
【図９】実施例図
【発明を実施するための形態】
【００１８】
図1及び図2に示すように、本発明には、テレビ等のプラグ挿入部へ挿入するプラグ端子4と2つ以上の複数のプラグ挿入部2a,2bと、音量調節用のボリューム1とから構成されている。
【００１９】
さらに、図8は、本発明の基盤配線図であるが、プラグ端子4と2つ以上の複数のプラグ挿入部2a,2bの一つの複数のプラグ挿入部2a又は2bには、中間に音量調節のためのボリューム7が電気的に接続されている。
【００２０】
図6は、Ａ−Ａ’の断面図であるが、プラグ端子4は、筐体8にプラグ支持ナット5で固定されている。なお、本プラグ端子4は、多少長めのプラグが望ましい。
【００２１】
図7は、Ｂ−Ｂ’の断面図であるが、筐体8に内臓された基盤6には、音量調節用のボリューム7と複数のプラグ挿入部2a及び2bが固定されている。音量調節用のボリューム7には、音量調節用のダイヤル1が装備されている。
【００２２】
筐体4は、合成樹脂あるいは軽合金等の素材が好ましい。
【実施例１】
【００２３】
図9は本発明の実施の形態における本発明のイヤホンアダプタをＴＶ装置に取りけた図である。
【実施例２】
【００２４】
図1及び図2によって使用方法を説明すると、まず、図に示すプラグ4をTV装置のイヤホンジャックに挿入する。次に、プラグ挿入部2a及び2bに市販のイヤホーンを挿入する。最後に、プラグ挿入部2bに挿入した市販のイヤホーンを使用する人は、音量調節用のダイヤル1を動かして、音量の調整を行う。
【符号の説明】
【００２５】
１．音量調節ダイヤル
２ａ．イヤホーンプラグ挿入部
２ｂ．イヤホーンプラグ挿入部
３．音量表示
４．プラグ
５．プラグ支持ナット
６．基盤
７．ボリューム
８．筐体
１００．本発明の音量調節器付きイヤホーンアダプタ
２００．テレビ受像機
【図１】
2010183128.tif 000003
【図２】
2010183128.tif 000004
【図３】
2010183128.tif 000005
【図４】
2010183128.tif 000006
【図５】
2010183128.tif 000007
【図６】
2010183128.tif 000008
【図７】
2010183128.tif 000009
【図８】
2010183128.tif 000010
【図９】
2010183128.tif 000011
【手続補正書】
【提出日】平成21年2月25日(2009.2.25)
【手続補正１】
【補正対象書類名】明細書
【補正対象項目名】０００５
【補正方法】変更
【補正の内容】
【０００５】
【特許文献１】実開昭51-63188号
【特許文献２】実開昭49-86033号
【特許文献３】実開昭52-77742号
【特許文献４】実開昭52-154240号
【特許文献５】実開昭53-115025号
【手続補正２】
【補正対象書類名】明細書
【補正対象項目名】０００８
【補正方法】変更
【補正の内容】
【０００８】
病院等の共用施設で使用する場合、一般の安価なイヤホーンが使用でき、断線のリスクの少ない共用型の音量調節機能を有するイヤホーンアダプタが求められている。
【手続補正３】
【補正対象書類名】明細書
【補正対象項目名】０００９
【補正方法】変更
【補正の内容】
【０００９】
本発明は、図１及び図２に示すように、複数のプラグ挿入部２ａ,２ｂとテレビ等のプラグ挿入部へ挿入するプラグ端子4から構成するイヤホーンアダプタである。
【手続補正４】
【補正対象書類名】明細書
【補正対象項目名】００１３
【補正方法】変更
【補正の内容】
【００１３】
また、本発明のイヤホーンアダプタを使用すると、市販の高価な音量調節器付きのイヤホーンの使用が不要に成り、安価なイヤホーンで聴くことができるため、経済的である。
【手続補正５】
【補正対象書類名】明細書
【補正対象項目名】００１９
【補正方法】変更
【補正の内容】
【００１９】
さらに、図8は、本発明の基盤配線図であるが、プラグ端子4と2つ以上の複数のプラグ挿入部2a,2bのうちの一つの挿入部2a又は2bには、中間に音量調節のためのボリューム7が電気的に接続されている。
【手続補正６】
【補正対象書類名】明細書
【補正対象項目名】００２２
【補正方法】変更
【補正の内容】
【００２２】
筐体８は、合成樹脂あるいは軽合金等の素材が好ましい。